(57)【要約】【課題】不正行為の防止効果を十分に確保すると共に、メンテナンス時等でコネクタカバーの取替を不要にし、コストの低廉化及び利便性の向上を図る。【解決手段】基板ケース２３は、上ケース４１と下ケース４２とによりコネクタが実装された制御基板を収納してなる。上ケースの周縁部に上ケースと下ケースとを結合するための複数の結合部４７を形成し、一回の結合時に少なくとも１つの結合部で第１の締結具４８，４９により分離不能に結合する。上ケースに制御基板側のコネクタに対向して開口部６６，６９を設け、開口部を通してケーブル８１，８２側のコネクタが制御基板側のコネクタ４４ａ，４４ｄに接続される。コネクタ同士を覆うコネクタカバー７１，７２が装着される。コネクタカバーに、コネクタカバーを上ケースに固定するための複数の固定部７５を設け、一回の固定時に少なくとも１つの固定部で第２の締結具７６，４９により分離不能に固定する。【選択図】図５
2008055022.tif 000002
【特許請求の範囲】
【請求項１】
上ケースと下ケースとによりコネクタが実装された制御基板を収納する収納空間が構成されており、上記上ケースの周縁部には上ケースと下ケースとを結合するための複数の結合部が形成され、一回の結合時にはその中の少なくとも１つの結合部で第１の締結具により結合し、かつその結合部、結合部の周辺又は第１の締結具を破壊しない限り分離不能にするように構成されており、上記上ケースには制御基板側のコネクタに対向して開口部が設けられ、この開口部を通してケーブル側のコネクタが制御基板側のコネクタに接続されるように構成されているとともに、この接続されたコネクタ同士を覆うコネクタカバーが装着されてなる遊技機用基板ケースにおいて、
上記コネクタカバーにはコネクタカバーを上ケースに固定するための複数の固定部が設けられ、一回の固定時にはその中の少なくとも１つの固定部で第２の締結具により固定し、かつその固定部、固定部の周辺又は第２の締結具を破壊しない限り分離不能にするように構成されていることを特徴とする遊技機用基板ケース。
【請求項２】
上記各固定部は、それぞれコネクタカバーの側面に脆弱部を介して連結され、この脆弱部を切断することでコネクタカバーから分離可能に設けられている請求項１記載の遊技機用基板ケース。
【請求項３】
上記コネクタカバーには上ケースの複数の結合部を覆うように水平方向に拡がる水平フランジ部が形成され、この水平フランジ部は、上ケースの各結合部にそれぞれ対応する複数の固定部を有し、各固定部で１つの締結具が上記第１の締結具の機能と第２の締結具の機能を共に発揮するように構成されている請求項１記載の遊技機用基板ケース。
【請求項４】
上記締結具は、先端に係合爪を有するピン部と、このピン部の基端側の外周を囲繞する頭部と、この頭部とピン部の基端とを連結する連結部とからなり、上記頭部の外周面には側方に突出する鍔部が形成されており、
上記上ケースの各結合部は、それぞれ締結具の頭部が嵌合可能な底部を有する形状に形成されており、この各結合部の底部には締結具の頭部が結合部内に嵌合したとき締結具のピン部が貫通する貫通孔が設けられているとともに、上記下ケースには、上記締結具の頭部が結合部内に嵌合したとき締結具のピン部先端の係合爪が抜け止め状態に係合する係止穴が設けられており、
上記水平フランジ部の各固定部は、上記締結具の頭部が嵌合可能な嵌合孔からなり、締結具の頭部が結合部内に嵌合したとき水平フランジ部の嵌合孔周縁部が締結具の鍔部と結合部との間に挟持される構成になっている請求項３記載の遊技機用基板ケース。
【請求項５】
請求項１ないし請求項４のいずれか一つに記載の遊技機用基板ケースと、この基板ケース内に収納された制御基板側のコネクタにケーブルを介して接続されかつ所定の箇所に取り付けられた他の基板とを備えた遊技機において、
上記他の基板に実装されたコネクタを含めて基板の取付面と反対側の表面全体を覆う基板カバーを備え、この基板カバーは、その配置箇所に固定するための固定部と、基板カバーの固定状態が一旦解除された場合にその痕跡を表示する痕跡表示手段とを有してなることを特徴とする遊技機。
【請求項６】
上記痕跡表示手段は、固定部を基板カバーの他の部位に連結しかつ切断し易くするために狭小に形成された脆弱部からなる請求項５記載の遊技機。
【発明の詳細な説明】
【技術分野】
【０００１】
本発明は、スロットマシンやパチンコ機などの遊技機に装備される制御基板を収納する遊技機用基板ケース及び遊技機に関する。
【背景技術】
【０００２】
従来、遊技機に装備される制御基板は、その実装品であるＲＯＭの取り替えなどの不正改造を防止するために、上ケースと下ケースとからなる基板ケース内に収納し、この基板ケースの開放を禁止する種々の工夫を施している。例えば特許文献１には、基板ケースの上ケースの周縁部に上ケースと下ケースとを結合するための複数の結合部を形成し、一回の結合時にはその中の少なくとも１つの結合部でワンウエイネジ、リベット又はピンなどの締結具により分離不能に結合することが開示されている。この方法によれば、制御基板の不正改造をするためには結合部又はその周辺を破壊しなければならず、また不正改造が行われた場合には破壊の痕跡が残ることから、制御基板の不正改造を予防ないし防止できるという効果が得られる。尚、特許文献１に開示のものでは、詳しくは上ケースを上蓋部分と側壁部分とに分離し、この上蓋部分の周縁部に複数の結合部を形成している。
【０００３】
一方、上記制御基板には、通常、遊技機に装備される他の基板（例えば中継基板や電装基板など）からの信号を受け、あるいは信号を送るためのコネクタが実装されている。このため、制御基板を収納する基板ケースの上ケースには、コネクタに対向して開口部が設けられ、この開口部を通してケーブル側のコネクタが基板側のコネクタに接続されるように構成されている。しかし、この場合、不正な遊技者などがケーブル側のコネクタを外し、基板側のコネクタに不正な機器を接続することにより、基板ケース内に収納された制御基板に対し不正な信号を入力して不正に遊技媒体を獲得するという不正行為が行われる虞がある。
【０００４】
そこで、このような不正行為を防止するために、例えば特許文献２に開示されているように、制御基板側のコネクタにケーブル側のコネクタを接続した後、この両コネクタを覆うコネクタカバーを設けるとともに、このコネクタカバーに、制御基板側のコネクタ又はケーブル側のコネクタと係合する突起部を形成して、両コネクタを覆って基板ケースに装着されたコネクタカバーを外し難くしたものが提案されている。
【特許文献１】特許第２８９５８２９号公報
【特許文献２】特開２００６−３４７８４号公報
【発明の開示】
【発明が解決しようとする課題】
【０００５】
しかしながら、上記提案のものでは、コネクタカバーの突起部とコネクタとの係合を解除可能又は解除不能とするかについて、次のような相反問題がある。
【０００６】
すなわち、解除可能とした場合、コネクタカバーの取り外しに多少時間がかかるもののコネクタの抜き差しが簡単にできることになり、不正行為の防止効果を十分に発揮することができなくなる。一方、解除不能とした場合、メンテナンス時などでコネクタを抜き差しする必要があるときにコネクタカバーを破壊し、新しいもの取り替える必要があり、コスト面や利便性の観点からは合理的ではない。
【０００７】
本発明はかかる点に鑑みてなされたものであり、その第１の課題とするところは、上述の如きコネクタカバーを基板ケースに装着するに当たり、コネクタカバーに分離不能に固定するための固定部を複数設けることにより、不正行為の防止効果を十分に確保するとともに、メンテナンス時などでコネクタの抜き差しが必要なとき固定部又はその周辺などを破壊するだけで足りるようにして、コネクタカバーの取り替えを不要にし、コストの低廉化及び利便性の向上に寄与し得る遊技機用基板ケースを提供せんとするものである。
【０００８】
また、本発明の第２の課題は、遊技機に上記基板ケースを装備し、また、この基板ケース内に収納された制御基板とケーブルを介して接続されかつ専用のケース内に収納することなく露出した状態で所定の箇所に取り付けられる他の基板を装備する場合、この他の基板側から制御基板に対し不正な信号を入力し得ないように適切な対策を講じて、不正行為の防止化を実施上有効に図り得る遊技機を提供するものである。
【課題を解決するための手段】
【０００９】
上記第１の課題を解決するため、請求項１に係る発明は、遊技機用基板ケースとして、上ケースと下ケースとによりコネクタが実装された制御基板を収納する収納空間が構成されており、上記上ケースの周縁部には上ケースと下ケースとを結合するための複数の結合部が形成され、一回の結合時にはその中の少なくとも１つの結合部で第１の締結具により結合し、かつその結合部、結合部の周辺又は第１の締結具を破壊しない限り分離不能にするように構成されており、上記上ケースには制御基板側のコネクタに対向して開口部が設けられ、この開口部を通してケーブル側のコネクタが制御基板側のコネクタに接続されるように構成されているとともに、この接続されたコネクタ同士を覆うコネクタカバーが装着されてなることを前提とする。そして、上記コネクタカバーに、コネクタカバーを上ケースに固定するための複数の固定部を設け、一回の固定時にはその中の少なくとも１つの固定部で第２の締結具により固定し、かつその固定部、固定部の周辺又は第２の締結具を破壊しない限り分離不能にするように構成する。
【００１０】
この構成では、遊技機の組立時などには、基板ケースの収納空間に制御基板を収納して上ケースと下ケースとを少なくとも１つの結合部で第１の締結具により分離不能に結合した後、制御基板側のコネクタに対し、上ケースの開口部を通してケーブル側のコネクタを接続し、このコネクタ同士を覆ってコネクタカバーを装着し、このコネクタカバーの少なくとも１つの固定部で第２の締結具によりコネクタカバーを上ケースに分離不能に固定する。そして、このような状態から不正にコネクタカバーを外して制御基板側のコネクタに不正な機器を接続するなどの不正行為をするためにはコネクタカバーの固定した固定部、その周辺又は第２の締結具を破壊しなければならず、また不正行為が行われた場合には破壊の痕跡が残ることから、不正行為の予防ないし防止を図ることができる。
【００１１】
一方、メンテナンス時などでコネクタの抜き差しが必要なときには、上記コネクタカバーの固定した固定部、その周辺又は第２の締結具を破壊することにより、コネクタカバーを取り外してコネクタの抜き差しを行うことができる。また、その後、コネクタカバーを再度装着するときには、コネクタカバーの別の固定部で第２の締結具によりコネクタカバーを上ケースに分離不能に固定すればよく、コネクタカバーを新しいものと取り替える必要はない。
【００１２】
請求項２に係る発明は、請求項１記載の遊技機用基板ケースにおいて、上記各固定部を、それぞれコネクタカバーの側面に脆弱部を介して連結し、この脆弱部を切断することでコネクタカバーから分離可能に設ける構成にする。この構成では、メンテナンス時などでコネクタの抜き差しが必要なときには、コネクタカバーの固定した固定部を、対応する脆弱部をニッパなどで切断することによって容易にコネクタカバーから分離することができる。
【００１３】
請求項３に係る発明は、請求項１記載の遊技機用基板ケースにおいて、上記コネクタカバーに、上ケースの複数の結合部を覆うように水平方向に拡がる水平フランジ部を形成し、この水平フランジ部は、上ケースの各結合部にそれぞれ対応する複数の固定部を有し、各固定部で１つの締結具が上記第１の締結具の機能と第２の締結具の機能を共に発揮するように構成する。この構成では、コネクタカバーに形成した水平フランジ部の各固定部で１つの締結具が、上ケースと下ケースとを分離不能に結合する第１の締結具の機能と、コネクタカバーを上ケースに分離不能に固定する第２の締結具の機能を共に発揮するようになっているため、部品点数を少なくすることができるなどの利点がある。
【００１４】
請求項４に係る発明は、請求項３記載の遊技機用基板ケースにおいて、１つの締結具が第１の締結具の機能と第２の締結具の機能を共に発揮するための好ましい具体的な形態を提供するものである。すなわち、上記締結具を、先端に係合爪を有するピン部と、このピン部の基端側の外周を囲繞する頭部と、この頭部とピン部の基端とを連結する連結部とによって構成し、上記頭部の外周面に、側方に突出する鍔部を形成する。一方、上記上ケースの各結合部を、それぞれ締結具の頭部が嵌合可能な底部を有する形状に形成し、この各結合部の底部に、締結具の頭部が結合部内に嵌合したとき締結具のピン部が貫通する貫通孔を設けるとともに、上記下ケースに、上記締結具の頭部が結合部内に嵌合したとき締結具のピン部先端の係合爪が抜け止め状態に係合する係止穴を設ける。また、上記水平フランジ部の各固定部を、上記締結具の頭部が嵌合可能な嵌合孔によって構成し、締結具の頭部が結合部内に嵌合したとき水平フランジ部の嵌合孔周縁部が締結具の鍔部と結合部との間に挟持される構成にする。
【００１５】
この構成では、締結具の頭部が上ケースの結合部内に嵌合したときには、その締結具のピン部が上ケースの結合部底部の貫通孔を貫通して、ピン部先端の係合爪が下ケースの係止穴に抜き止め状態に係合することにより、上ケースと下ケースとが締結具により分離不能に結合される。それと同時に、締結具の鍔部と上ケースの結合部との間にコネクタカバーの水平フランジ部の固定部としての嵌合孔の周縁部が挟持されることにより、コネクタカバーが同じ締結具により上ケースに分離不能に固定される。
【００１６】
一方、メンテナンス時などでコネクタの抜き差しが必要なときには、締結具の連結部をニッパなどで切断すると締結具による上ケースと下ケースの結合状態及びコネクタカバーの固定状態が共に解除されることになり、メンテナンス作業などを迅速に行うことができる。
【００１７】
また、上記第２の課題を解決するため、請求項５に係る発明は、請求項１ないし請求項４のいずれか一つに記載の遊技機用基板ケースと、この基板ケース内に収納された制御基板側のコネクタにケーブルを介して接続されかつ所定の箇所に取り付けられた他の基板とを備えた遊技機において、上記他の基板に実装されたコネクタを含めて基板の取付面と反対側の表面全体を覆う基板カバーを備え、この基板カバーは、その配置箇所に固定するための固定部と、基板カバーの固定状態が一旦解除された場合にその痕跡を表示する痕跡表示手段とを有する構成にする。
【００１８】
この構成では、基板ケース内に収納された制御基板側のコネクタにケーブルを介して接続された他の基板が専用のケース内に収納することなく取り付けられている場合でも、この他の基板に実装されたコネクタを含めて基板の取付面と反対側の表面全体が基板カバーによって覆われており、また、この基板カバーは固定部で固定され、その固定状態が一旦解除された場合その痕跡が痕跡表示手段によって表示されるため、上記基板カバーに覆われた他の基板に接続されたケーブルを外して制御基板に不正な信号を入力することなどの不正行為を予防ないし防止することができる。
【００１９】
請求項６に係る発明は、請求項５記載の遊技機において、上記痕跡表示手段を、固定部を基板カバーの他の部位に連結しかつ切断し易くするために狭小に形成された脆弱部によって構成する。この構成では、単に封印シールで解除の痕跡を表示する場合に比べてその痕跡が隠蔽され難くいため、その分不正行為の防止効果を高めることができる。
【発明の効果】
【００２０】
以上のように、本発明の遊技機用基板ケースによれば、制御基板を収納する上ケースと下ケースとを少なくとも１つの結合部で第１の締結具により分離不能に結合した後、制御基板側のコネクタとこれに接続されたケーブル側のコネクタとを覆ってコネクタカバーを装着する際にはコネクタカバーがその複数の固定部のいずれかで第２の締結具により上ケースに分離不能に固定されるため、制御基板側のコネクタに不正な機器を接続するなどの不正行為を防止することができる。しかも、メンテナンス時などでコネクタの抜き差しが必要なときには、コネクタカバーの固定した固定部、その周辺又は第２の締結具を破壊することにより、コネクタカバーを取り外してコネクタの抜き差しを行うことができるので、メンテナンス作業などに支障を来すことはない。また、コネクタカバーを取り外す毎にコネクタカバーの取り替えを行う必要はなく、コストの低廉化及び利便性の向上に寄与することができる。
【００２１】
特に、請求項２に係る発明では、メンテナンス時などでコネクタの抜き差しが必要なときには、コネクタカバーの固定した固定部を、対応する脆弱部をニッパなどで切断することによって容易にコネクタカバーから分離することができ、作業の迅速化を図る上で有効なものである。
【００２２】
請求項３に係る発明では、コネクタカバーに形成した水平フランジ部の各固定部で１つの締結具が第１の締結具の機能と第２の締結具の機能を共に発揮するようになっているため、その分部品点数を少なくすることができ、コストの低廉化及び利便性の向上に一層寄与することができる。
【００２３】
また、本発明の遊技機によれば、上述した基板ケース内に収容された制御基板側のコネクタとケーブルを介して接続された他の基板の取付面と反対側の表面全体が基板カバーによって覆われ、かつ基板カバーは固定部で固定され、その固定状態が一旦解除された場合その痕跡が痕跡表示手段によって表示されるため、この基板カバーによって覆われた他の基板に接続されたケーブルを外して制御基板に不正な信号を入力することなどの不正行為を防止することができるので、基板ケース側での不正行為の防止構造と相俟って不正行為の防止効果を確実に高めることができる。
【００２４】
特に、請求項６に係る発明では、基板カバーの固定状態が解除された場合の痕跡が隠蔽され難くいため、その分不正行為の防止効果を一層高めることができるという効果を奏するものである。
【発明を実施するための最良の形態】
【００２５】
以下、本発明を実施するための最良の形態である実施形態を図面に基づいて説明する。
【００２６】
図１ないし図３は本発明の一実施形態に係る遊技機としてのスロットマシンを示し、１はスロットマシンの遊技面である前面部を構成する前扉であって、この前扉１は、筐体２の前方開口部に正面側から向かって左側をヒンジ側として開閉可能に取り付けられている。
【００２７】
上記前扉１の上部には上部ランプ３、液晶表示部４及び左右２つのスピーカ５ａ，５ｂが設けられているとともに、前扉１の中央部には中央パネル６及び中央操作部７が設けられている。液晶表示部４は、遊技の進行に応じてキャラクターなどを画面上に表示して遊技演出を行うようになっている。中央パネル６は、アクリル板のような透明な合成樹脂板や強化ガラス板などの裏面にシルクスクリーン印刷により絵柄や模様などを施してなり、この中央パネル６には、シルクスクリーン印刷を施さず透明なままの部分である矩形状のリール表示窓８が形成されている。また、中央操作部７にはメダル投入口１１、スタートレバー１２、３つの停止スイッチ１３，１３，１３及びマックスベットスイッチ１４などが設けられており、中央操作部７よりも下側の前扉１の下部には下部パネル１６、メダル払出口１７及びメダル受け皿１８が設けられている。
【００２８】
上記筐体２内には、図２に示すように、前扉１のリール表示窓８に対向してリール装置２１が配置されている。このリール装置２１は、各々独自に回転する横並び３つの回転リール２２ａ，２２ｂ，２２ｃを有しており、これらの回転リール２２ａ〜２２ｃの外周面にはそれぞれ複数の図柄（図示せず）が施され、前扉１を閉じた状態で各回転リール２２ａ〜２２ｃ毎３つずつ計９つの図柄が前扉１のリール表示窓８を通して外部に見えるようになっている。また、筐体２内のリール装置２１上側には、スロットマシンの主制御基板４５（図１１参照）を収容する主基板ケース２３が取付プレート２４を介在して筐体２の背面部に固定して配置されているとともに、筐体２内のリール装置２１右側には内部中継基板２５が筐体２の側壁部に固定して配置されており、筐体２内のリール装置２１下側にはホッパー装置２６及び電源ユニット２７などが配置されている。
【００２９】
一方、上記前扉１の裏面側には、図３に示すように、液晶表示部４及びスピーカ５ａ，５ｂなどを制御する副制御基板（図示せず）を収容する副基板ケース３１が取り付けられているとともに、中央パネル６のリール表示窓８周辺で各種の報知を行う報知器（図示せず）を装着するための内枠パネル３２が取り付けられており、この内枠パネル３２の下部には更にその上から扉中継基板３３が取り付けられている。副基板ケース３１内の副制御基板及び扉中継基板３３は、それぞれ別々のケーブル（扉中継基板３３の場合、図１５中の符号８１）を介して上記主基板ケース２３内の主制御基板４５に接続されている。また、前扉１の裏面側には、各停止スイッチ１３に接続した停止スイッチ基板３４が取り付けられているとともに、メダル投入口１１から投入されたメダルを選別するためのセレクター３５及びメダル払出通路３６などが取り付けられている。
【００３０】
ここで、図で詳示していないが、上記主制御基板４５には、スロットマシンの遊技動作を司る中央演算処理装置（ＣＰＵ）、遊技動作に関する情報を記憶した読み出し専用記憶装置（ＲＯＭ）などが実装されている。そして、スロットマシンは、スタートレバー１２の操作が行われたことに応じて、上記ＣＰＵで抽選を行うとともに、回転リール２２ａ〜２２ｃを一斉に回転させる。その後、各停止スイッチ１３の操作に応じて、対応する回転リール２２ａ〜２２ｃを、上記抽選の結果と、各停止スイッチ１３の操作のタイミングとに応じて、所定の駒数以内にて停止させるように構成されており、また、所定の入賞図柄の組み合わせがリール表示窓８の有効入賞ライン上に停止したとき、所定枚数の遊技媒体としてのメダルを払出口１７から払い出すようになっている。上記主制御基板４５は、スタートレバー１２の信号を受けて各回転リール２２ａ〜２２ｃの回転を指令する信号を出力し、また、入賞が成立したことを判定した後所定枚数のメダルの払出を指令する信号を出力することによって、遊技動作を実現している。この主制御基板４５には、上述した各信号の入出力のため、あるいは主制御基板４５に電源を供給するためのコネクタが複数設けられている。
【００３１】
本発明の遊技機用基板ケースは、本実施形態の場合、上記主基板ケース２３に適用したものであり、この主基板ケース２３の第１の実施形態としての具体的な構造を、図４ないし図１４を用いて以下に説明する。
【００３２】
すなわち、上記主基板ケース２３は、図４及び図５に示すように、上ケース４１と下ケース４２とにより収容空間としての矩形箱型のケース本体４３を構成し、このケース本体４３内に、ＣＰＵ，ＲＯＭ（共に図示せず）やコネクタ４４ａ，４４ｂ，４４ｃ，４４ｄなどの電子部品を実装した主制御基板４５を収容するものである。下ケース４２の下面には、主基板ケース２３を筐体２の背面部に取り付けるための取付プレート２４が固定されている。
【００３３】
上記上ケース４１及び下ケース４２は、共に透明又は半透明なアクリル樹脂などの合成樹脂からなり、下ケース４２の互いに対向する２つの短辺のうち、一方の短辺には外方に延出する係合突起部４６が形成され、この係合突起部４６は、上ケース４１の対応する短辺に設けたスリット５０（図１２参照）内に挿通されて、係合突起部４６をヒンジ点として上ケース４１が下ケース４２に対し開閉されるようになっている。また、上ケース４１の開閉ヒンジ点と反対側の短辺には上ケース４１と下ケース４２とを結合するための６つの結合部４７，４７，…が短辺に沿って横並びに形成されている。そして、一回の結合時にはその中の少なくとも１つの結合部４７で第１の締結具４８又は４９により上ケース４１と下ケース４２とが分離不能に結合される。
【００３４】
上記締結具４８は、上ケース４１及び下ケース４２と同じくアクリル樹脂などの合成樹脂からなるもので、図６に拡大詳示するように、先端に第１の係合爪５１を有するピン部５２と、このピン部５２の基端側の外周を囲繞する円筒状の頭部５３と、この頭部５３とピン部５２の基端とをピン部５２の軸線を挟む２個所でそれぞれ連結する連結部５４，５４とを備えてなる。第１の係合爪５１は、ピン部５２の先端に形成した逆Ｕ字状の溝５５を挟んだ両側の部位に形成されていて、下ケース４２の後述する係止穴６５に挿入される時弾性変形して挿入され易くなっている。頭部５３の外周面には、その軸線方向の中央部でかつ軸線を挟む２個所にそれぞれ第２の係合爪５７が形成されているとともに、軸線方向の先端側でかつ円周方向に位相が各第２の係合爪５７と９０度異なる２個所にそれぞれ第３の係合爪５８が形成されている。各第２の係合爪５７は、その周囲の三方つまり左右両側と先端側とに形成したコ字形の切り欠き溝５９により弾性変形可能になっており、また各第３の係合爪５８も、その左右両側に形成した切り欠き溝６０，６０により弾性変形可能になっている。各連結部５４は、全長に亘って狭小で脆弱に形成されており、特に、頭部５３寄りの部位に幅寸法が他の部位よりも小さい脆弱部５４ａを有している。
【００３５】
また、上記締結具４９は、上ケース４１と下ケース４２とを分離不能に結合する機能の外に、後述するコネクタカバー７２を上ケース４１に分離不能に固定する機能を兼備するものである。この締結具４９は、図１４に示すように、頭部５３の外周面に側方に突出する環状の鍔部５６を有していることと、頭部５３の軸線方向長さが締結具４８のそれと比べて長く設定されていること以外、締結具４８と略同じ構成になっている。
【００３６】
一方、上記各結合部４７は、図７及び図８に詳示するように、それぞれ締結具４８，４９の頭部５３が嵌合可能な底部４７ａを有する円筒状に形成されており、その深さは締結具４８の頭部５３の軸線方向の長さ寸法と略同一で締結具４９の頭部５３の軸線方向の長さ寸法よりも短く設定されている。この各結合部４７の内周面には、開口寄りの軸線を挟む２個所にそれぞれ、図８に示す如く締結具４８，４９の頭部５３が結合部１３内に浅く嵌合する仮止め状態のとき上記各第３の係合爪５８が係合する仮止め用の係止凹部６１が形成されているとともに、深さ方向の中央部でかつ円周方向に位相が各仮止め用の係止凹部６１と９０度異なる２個所にそれぞれ、図９（ａ）に示す如く締結具４８，４９の頭部５３が結合部４７内に嵌合した結合状態のとき上記各第２の係合爪５７が係合する結合用の係止凹部６２が形成されている。また、各結合部４７の底部４７ａには、上記結合状態のとき締結具４８，４９のピン部５２が貫通する貫通孔６３が設けられている。
【００３７】
上記下ケース４２には、上ケース４１の各結合部４７に対応して、それぞれ締結受け部６４が設けられている。この締結受け部６４は、取付プレート２４上に支持された台座形のもので、締結受け部６４の中心には、締結具４８，４９の頭部５３が結合部４７内に嵌合したときそのピン部５２先端の第１の係合爪５１が抜け止め状態に係合する係止穴６５が設けられており、これにより、上ケース４１の結合部４７と下ケース４２の締結受け部６４との間で両ケース４１，４２が締結具４８，４９によって分離不能に結合される。この結合状態を解除して両ケース４１，４２を開放するときには、締結具４８，４９の２つの連結部５４，５４の各脆弱部５４ａを共にニッパなどで切断すると、図９（ｂ）に示すように、締結具４８，４９の頭部５３は上ケース４１の結合部４７内に嵌合した状態のまま残り、締結具４８，４９のピン部５２のみが上ケース４１の結合部４７の貫通孔６３から下ケース４１の締結受け部６４に抜け落ちて結合状態が解除されるようになっている。
【００３８】
さらに、図４及び図５に示すように、上記上ケース４１は、その長手方向の両端部分が中央部よりも一段低く形成されており、この上ケース４１の長手方向両端部分には主制御基板４５に実装された各コネクタ４４ａ〜４４ｄに対向して複数（図では４つ）の開口部６６，６７，６８，６９が設けられ、これらの開口部６６〜６９を通してそれぞれ主制御基板４５側の各コネクタ４４ａ〜４４ｄに対しケーブル側のコネクタ（図示せず）が接続される。ここで、主制御基板４５側のコネクタ４４ａ〜４４ｄのうち、コネクタ４４ａは、前扉１裏面側の扉中継基板３３にケーブル８１を介して接続されるものであり、コネクタ４４ｂは、前扉１裏面側の副基板ケース３１内に収納された副制御基板にケーブル（図示せず）を介して接続されるものであり、コネクタ４４ｃは、筐体２内の電源ユニット２７にケーブル（図示せず）を介して接続されるものであり、コネクタ４４ｄは、筐体２内の内部中継基板２５にケーブル８２を介して接続されるものである。
【００３９】
そして、上記主制御基板４５側のコネクタ４４ａ及びコネクタ４４ｄには、それぞれそのコネクタ４４ａ，４４ｄとそれに接続されるケーブル側のコネクタとを共に覆うコネクタカバー７１，７２が装着されている。この両コネクタカバー７１，７２は、共にアクリル樹脂などの合成樹脂からなり、コネクタカバー７１の内側側面には、コネクタ４４ａに接続されたケーブル８１を外部に導出させるための切り欠き部７３が形成されている一方、コネクタカバー７２の内側側面にも、同様にコネクタ４４ｄに接続されたケーブル８２を外部に導出させるための切り欠き部７４（図１４参照）が形成されている。
【００４０】
上記コネクタカバー７１の側面にはコネクタカバー７１を上ケース４１に固定するための複数の固定部７５，７５，…が設けられており、一回の固定時にはその中の少なくともの１つの固定部７５で、好ましくは互いに比較的離れた位置の２つの固定部７５，７５でそれぞれ第２の締結具としてのワンウエイネジ７６によりコネクタカバー７１が上ケース４１に固定される。この各固定部７５は、図１０及び図１１に詳示するように、それぞれワンウエイネジ７６が挿入可能な段付き孔７５ａを有する円筒状のもので、コネクタカバー７１の側面に一対の狭小な連結部である脆弱部７７，７７を介して連結され、この両脆弱部７７，７７を切断することでコネクタカバー７１から分離可能に設けられている。
【００４１】
上記ワンウエイネジ７６は、図１３に詳示するように、頭部７６ａのスクリュードライバーと係合する係合溝７６ｂの形状に特徴があるもので、スクリュードライバーでは締め付け方向にのみ操作可能に設けられている。つまり、係合溝７６ｂの壁面のうち、スクリュードライバーによる締め付け時にそのスクリュードライバーと当接する壁面７６ｃ，７６ｃは溝底面７６ｄと略直角に交差しているが、締め付けを緩める時にスクリュードライバーと当接する壁面７６ｅ，７６ｅは溝底面７６ｄと斜めに傾斜している。従って、このワンウエイネジ７６により固定部７５ひいてはコネクタカバー７１を一旦固定すると一対の脆弱部７７，７７を切断しない限りコネクタカバー７１は分離不能になる。
【００４２】
また、上記コネクタカバー７２の外側側面には、図１４にも示すように、上ケース４１の３つの結合部４７，４７，４７を覆うように水平方向に拡がる矩形平板状の水平フランジ部７８が形成され、この水平フランジ部７８は、上ケース４１の各結合部４７にそれぞれ対応する３つの嵌合孔７９，７９，７９を有している。この各嵌合孔７９の内径は、結合部４７の内径と略同一でかつ上記締結具４９の頭部５３が嵌合可能な大きさに設定されている。そして、上ケース４１と下ケース４２との結合のために上記３つの結合部４７，４７，４７の中の一つで締結具４９の頭部５３が結合部４７内に嵌合したとき水平フランジ部７８の嵌合孔７９の周縁部が締結具４９の鍔部５６と結合部４７との間に挟持されるようになっている。よって、上記締結具４９は、上ケース４１と下ケース４２とを分離不能に結合する第１の締結具の機能と、コネクタカバー７２を上ケース４１に分離不能に固定する第２の締結具の機能を共に発揮するものであり、また、上記水平フランジ部７８の各嵌合孔７９は、コネクタカバー７２を上ケース４１に固定するための固定部としての機能を有するものである。
【００４３】
一方、上記主制御基板４５側のコネクタ４４ａにケーブル８１を介して接続された前扉１裏面側の扉中継基板３３は、通常、専用のケース内に収容することなく露出した状態で内枠パネル３２の下部上に取り付けられるが、本実施形態の場合、図１５に拡大詳示するように、この扉中継基板３３に実装されたコネクタ８３ａ，８３ｂ，８３ｃを含めて扉中継基板３３の取付面と反対側の表面全体を覆う基板カバー８４が装備されている。ここで、扉中継基板３３に実装されたコネクタ８３ａ〜８３ｃのうち、コネクタ８３ａは、上述した主制御基板４５にケーブル８１を介して接続されるものであり、コネクタ８３ｂは、前扉１裏面側の停止スイッチ基板３４にケーブル８５を介して接続されるものであり、コネクタ８３ｃは、同じく前扉１裏面側のセレクター３５にケーブル８６を介して接続されるものである。
【００４４】
上記基板カバー８４は、図１６及び図１７にも示すように、扉中継基板３３と対向する略横長矩形状の平面部８４ａの略全周縁に亘ってフランジ部８４ｂが形成されてなり、扉中継基板３３側のコネクタ８３ａ〜８３ｃに対応する部位では、フランジ部８４ｂに切り欠き部８５，８６が設けられて、ケーブル８１，８５，８６の配線を確保するようになっており、コネクタ８３ａに対応する部位では、コネクタ８３ａ全体を覆うように平面部８４ａの縁部を下方に延ばして庇部８７が形成されている。上記コネクタ８３ａ〜８３ｃは、切り欠き部８５，８６の幅寸法を狭く調整することにより、基板カバー８４で覆われた状態ではケーブル８１，８５，８６側のコネクタとの脱着が不能になっている。また、基板カバー８４は、内枠パネル３２に対し、上縁側の左右２箇所でそれぞれ通常のネジ８８により固定されているとともに、下縁側の左右２箇所にそれぞれフランジ部８４ｂより下方に突出して形成した固定部８９でワンウエイネジ９０により固定されている。
【００４５】
上記固定部８９は、図１８に拡大詳示するように、ワンウエイネジ９０が挿入可能な段付き孔９１を有する円筒状のものであり、この固定部８９と基板カバー８４のフランジ部８４ｂとの間には両者を連結しかつ固定部８９を基板カバー８４から切断し易くするための一対の狭小な連結部である脆弱部９２，９２が形成されている。また、固定部８９には、この一対の脆弱部９２，９２に挟まれた部位にスリット９３が設けられているとともに、段付き孔９１の大径孔部の内面には、ワンウエイネジ９０の頭部と滑り難くするための一対の鋸刃状の滑り止め部９４，９４が形成されている。
【００４６】
尚、上記ワンウエイネジ９０は、図に詳示していないが、上述したワインウエイネジ７６と同じく、頭部９０ａのスクリュードライバーと係合する係合溝９０ｂの形状に特徴があるもので、スクリュードライバーでは締め付け方向にのみ操作可能に設けられている。このワンウエイネジ９０により固定部８９ひいては基板カバー８４を一旦固定すると一対の脆弱部９２，９２を共に切断しない限り基板カバー８４は分離不能になる。
【００４７】
次に、上記実施形態の作用効果、特に、スロットマシンの筐体２内に装備される主基板ケース２３の作用効果を説明する。
【００４８】
遊技機の組立時などには、主基板ケース２３内に主制御基板４５を収納して主基板ケース２３の上ケース４１と下ケース４１とを、例えば図５で上から１番目の結合部４７で締結具４８により分離不能に結合した後、主制御基板４５側のコネクタ４４ａ，４４ｄに対し、それぞれ上ケース４１の開口部６６，６９を通してケーブル側のコネクタを接続し、このコネクタ同士を覆ってコネクタカバー７１，７２を装着する。その際、一方のコネクタカバー７１においては、例えば図５で左上から１番目の固定部７５と５番目の固定部７５とをそれぞれワンウエイネジ７６により上ケース４１に分離不能に固定する。また、他方のコネクタカバー７２においては、その水平フランジ部７８の、例えば中央の嵌合孔７９を通して上ケース４１の結合部４７内に締結具４９の頭部５３を嵌合させ、この締結具４７により上ケース４１と下ケース４２とを分離不能に結合するとともに、コネクタカバー７２を上ケース４１に分離不能に固定する。
【００４９】
そして、このような状態から不正にコネクタカバー７１，７２を外して主制御基板４５側のコネクタ４４ａ，４４ｄに不正な機器を接続するなどの不正行為をするためには各コネクタカバー７１，７２の固定した固定部７５，７９、その周辺又は締結具７６，４９を破壊しなければならず、また、不正行為が行われた場合には破壊の痕跡が残ることから、不正行為の予防ないし防止を図ることができる。
【００５０】
一方、メンテナンス時などでコネクタ４４ａ，４４ｄの抜き差しが必要なときには、上記各コネクタカバー７１，７２の固定した固定部７５，７９、その周辺又は締結具７６，４９を破壊することにより、コネクタカバー７１，７２を取り外してコネクタ４４ａ，４４ｄの抜き差しを行うことができるので、メンテナンス作業などに支障を来すことはない。また、その後、各コネクタカバー７１，７２を再度装着するときには、各コネクタカバー７１，７２の別の固定部７５，７９で同様に締結具７６，４９により各コネクタカバー７１，７２を上ケース４１に分離不能に固定すればよく、各コネクタカバー７１，７２をそれぞれ新しいものと取り替える必要はないので、コストの低廉化及び利便性の向上に寄与することができる。
【００５１】
特に、本実施形態の場合、一方のコネクタカバー７１の各固定部７５は、それぞれコネクタカバー７１の側面に一対の狭小な連結部である脆弱部７７，７７を介して連結され、この両脆弱部７７，７７を切断することでコネクタカバー７１から分離可能に設けられているため、メンテナンス時などでコネクタの抜き差しが必要なときには、コネクタカバー７１の固定した固定部７５を、対応する一対の脆弱部７７，７７をニッパなどで切断することによって容易にコネクタカバー７１から分離することができ、作業の迅速化に寄与することができる。
【００５２】
また、他方のコネクタカバー７２においては、その水平フランジ部７８の固定部としての嵌合孔７９を通して上ケース４１の結合部４７内に締結具４９の頭部５３を嵌合させると締結具４９のピン部５２が上ケース４１の結合部４７底部の貫通孔６３を貫通して、ピン部５２先端の第１の係合爪５１が下ケース４２の締結受け部６４の係止穴６５に抜き止め状態に係合することにより、上ケース４１と下ケース４２とが締結具４９により分離不能に結合される。それと同時に、締結具４９の鍔部５６と上ケース４１の結合部４７との間に水平フランジ部７８の嵌合孔７９の周縁部が挟持されることにより、コネクタカバー７２が同じ締結具４９により上ケース４１に分離不能に固定される。このように、１つの締結具４９によって上ケース４１と下ケース４２の結合とコネクタカバー７２の上ケース４１への固定とが共に発揮されるため、その分部品点数を少なくすることができ、コストの低廉化及び利便性の向上に一層寄与することができる。しかも、メンテナンス時などでコネクタ４４ｄの抜き差しが必要なときには、締結具４９の連結部５４（特に、狭小な脆弱部５４ａ）をニッパなどで切断すると締結具４９による上ケース４１と下ケース４２の結合状態及びコネクタカバー７２の固定状態が共に解除されるため、作業の迅速化にも一層寄与することができる。
【００５３】
さらに、上記主基板ケース２３内に収納された主制御基板４５側のコネクタ４４ａにケーブル８１を介して接続されかつ専用のケース内に収納することなく前扉１裏面側に取り付けられた扉中継基板３３は、上記ケーブル８１と接続されるコネクタ８３ａを含めて扉中継基板３３の取付面と反対側の表面全体が基板カバー８４によって覆われており、またこの基板カバー８４は、その下縁側の２箇所にそれぞれ形成した固定部８９でワンウエイネジ９０により分離不能に固定され、かつ基板カバー８４を外さない限り扉中継基板３３側のコネクタ８３ａ〜８３ｃとケーブル８１，８５，８６側のコネクタとの脱着が不能になっているため、扉中継基板３３側のコネクタ８３ａに接続されたケーブル８１を外した上このケーブル８１を利用して主制御基板４５に不正な信号を入力するなどの不正行為を予防ないし防止することができる。この結果、上述した主基板ケース２３側での不正行為の防止構造と相俟って不正行為の防止効果を確実に高めることができる。
【００５４】
加えて、上記扉中継基板３３のメンテナンス時などには、基板カバー８４の各固定部８９においてその固定部８９と基板カバー８４のフランジ部８４ｂとを連結する一対の脆弱部９２，９２をニッパなどで切断して固定部８９を基板カバー８４から切り離すことにより、基板カバー８４を取り外すことができるので、メンテナンス作業などに支障を来すことはなく、実施化を容易に図ることができる。また、基板カバー８４を取り外した後新しい基板カバー８４を取り付けるに当たっては、前扉１裏面側の内枠パネル３２上に残った固定部８９をワンウエイネジ９０と共に取り外す必要があるが、固定部８９にスリット９３が設けられているとともに、固定部８９の段付き孔９１の大径孔部内面に一対の鋸刃状の滑り止め部９４，９４が形成されているため、ラジオペンチなどで固定部８９の外周側からワンウエイネジ９０を挟んで回す際に上記各滑り止め部９４がワンウエイネジ９０の頭部９０ａに食い込んでワンウエイネジ９０をも容易に回すことができ、この点からも実施化を図る上で有利なものである。
【００５５】
尚、本発明は上記実施形態に限定されるものではなく、その他種々の形態を包含するものである。例えば上記実施形態では、主基板ケース２３の上ケース４１と下ケース４２とを結合部４７で締結具４８，４９により分離不能に結合するに当たり、締結具４８，４９として、先端に係合爪５１を有するピン部５２と、その基端側の外周を囲繞する円筒状の頭部５３と、この両部５２，５３を連結する連結部５４とを備えてなる特殊形状のものを用いたが、本発明は、このものに限らず、ワンウエイネジやリベットなどの他の締結具を用いてもよい。
【００５６】
また、上記実施形態では、主基板ケース２３に装着される２つのコネクタカバー７１，７２のうち、一方のコネクタカバー７１に、それぞれワンウエイネジ７６により上ケース４１に固定するための複数の固定部７５を設け、他方のコネクタカバー７２に、上ケース４１の３つの結合部４７，４７，４７を覆うように水平方向に拡がる水平フランジ部７８を形成し、この水平フランジ部７８に、上ケース４１の各結合部４７にそれぞれ対応する３つの嵌合孔７９，７９，７９を設け、この各嵌合孔７９で１つの締結具４９が上ケース４１と下ケース４２とを分離不能に結合する機能と、コネクタカバー７２を上ケース４１に分離不能に固定する機能とを共に発揮するように構成したが、本発明は、２つのコネクタカバー７１，７２の固定構造として、実施形態の場合と逆の構造にしたり、両方ともワンウエイネジにより固定する構造にしたり、両方とも１つの締結具により上ケース４１と下ケース４２の結合と、コネクタカバー７１，７２の上ケース４１への固定とを共に発揮する構造にしたりしてもよい。
【００５７】
さらに、上記実施形態では、コネクタカバー７２に上ケース４１の複数の結合部４７を覆うように水平方向に拡がる水平フランジ部７８を形成し、この水平フランジ部７８に、上ケース４１の各結合部４７にそれぞれ対応して、複数の固定部としての嵌合孔７９を設け、この嵌合孔７９を通して上ケース４１の結合部４７内に締結具４９の頭部５３を嵌合させ、この締結具４８により上ケース４１の結合部４７と下ケース４２の締結受け部６４とを分離不能に結合するとともに、コネクタカバー７２を上ケース４１に分離不能に固定するよう構成したが、本発明は、下ケース４２に締結受け部６４を形成する代わりに、図１９に示すように、主基板ケース２３を筐体に取り付けるための取付プレート１０１に台座部材１０２を装着し、この台座部材１０２に、上記締結具４９の頭部５３が上ケース４１の結合部４７内に嵌合したとき締結具４９のピン部５２先端の係合爪５１が抜け止め状態に係合する係止穴１０３を設け、これにより、１つの締結具４９により上ケース４１ひいては主基板ケース２３の筐体側取付プレート１０１への取付と、コネクタカバー７２の上ケース４１への固定とを同時に行うように構成してもよい。
【００５８】
加えて、上記実施形態では、扉中継基板３３の取付面と反対側の表面全体を覆う基板カバー８４を前扉１の内枠パネル３２に固定するに当たり、基板カバー８４の固定部８９をワンウエイネジ９０により分離不能に固定するとともに、この固定部８９と基板カバー８４とを連結しかつ切断し易くするための狭小な連結部である脆弱部９２を設ける構成にしたが、本発明は、基板カバー８４の固定構造としては、この実施形態のものに限らず、基板カバー８４を取り外した場合にその痕跡が残るものであればよく、例えば封印シールと固定ネジとで構成するだけでもよい。
【００５９】
さらにまた、上記実施形態では、本発明の遊技機用基板ケースを、スロットマシンに装備される主基板ケース２３に適用した場合について述べたが、スロットマシン以外のパチンコ機などの遊技機に装備される基板ケースにも同様に適用することができるのは勿論である。特に、パチンコ機に装備される基板ケースとしては、遊技内容を制御する主制御基板を収容する主基板ケース、各検出器からの遊技球の検出信号を受けて主制御基板に送信するための中継基板を収容する中継基板ケース、主制御基板からの信号を受けて所定数の賞球の払出を行う払出基板を収容する払出基板ケース、主制御基板から払出信号を受けて払出基板に送信するための中継基板を収容する中継基板ケースなどに適用することが望ましく、上記実施形態で述べたように、基板に対する不正な信号入力による不正な遊技、ひいては不正な遊技媒体の獲得という不正行為を防止できるという効果を奏する。
【図面の簡単な説明】
【００６０】
【図１】本発明の実施形態に係るスロットマシンの外観を示す正面図である。
【図２】上記スロットマシンから前扉を取り外して見た筐体内の配置レイアウトを示す正面図である。
【図３】上記前扉の裏面側を示す背面図である。
【図４】本発明の実施形態に係る主基板ケースの斜視図である。
【図５】同平面図である。
【図６】締結具を示し、（ａ）は平面図、（ｂ）は正面図、（ｃ）は斜視図である。
【図７】主基板ケースの各結合部に締結具を保持させた状態を示す拡大斜視図である。
【図８】図７のＸ−Ｘ線における断面図である。
【図９】（ａ）は図７のＹ−Ｙ線における上下ケースの結合状態を示す断面図、（ｂ）は上下ケースの分離状態を示す断面図である。
【図１０】図５の左端のコネクタカバーの固定構造を示す拡大図である。
【図１１】図１０のＭ−Ｍ線における断面図である。
【図１２】図１０のＮ−Ｎ線における断面図である。
【図１３】ワンウエイネジを示し、（ａ）は正面図、（ｂ）は側面図である。
【図１４】図５のＺ−Ｚ線における拡大断面図である。
【図１５】内枠パネルに対する扉中継基板及び基板カバーの取付状態を示す図である。
【図１６】図１５のＤ―Ｄ線における拡大断面図である。
【図１７】図１５のＥ−Ｅ線における拡大断面図である。
【図１８】図１５のＦ矢付近の拡大図である。
【図１９】別の実施形態を示す図１４相当図である。
【符号の説明】
【００６１】
２３    主基板ケース（遊技機用基板ケース）
３２    内枠パネル
３３    扉中継基板（他の基板）
４１    上ケース
４２    下ケース
４３    ケース本体（収容空間）
４４ａ，４４ｂ，４４ｃ，４４ｃ    主制御基板側のコネクタ
４５    主制御基板
４７    結合部
４７ａ  底部
４８，４９    第１の締結具
５１    第１の係合爪
５２    ピン部
５３    頭部
５４    連結部
５６    鍔部
６３    貫通孔
６５    係止穴
６６，６７，６８，６９    開口部
７１，７２    コネクタカバー
７５    コネクタカバーの固定部
７６    ワンウエイネジ（第２の締結具）
７７    コネクタカバーの脆弱部
７８    水平フランジ部
７９    嵌合孔（固定部）
８１，８２    ケーブル
８３ａ，８３ｂ，８３ｃ    扉中継基板側のコネクタ
８４    基板カバー
８９    基板カバーの固定部
９２    基板カバーの脆弱部
【図１】
2008055022.tif 000003
【図２】
2008055022.tif 000004
【図３】
2008055022.tif 000005
【図４】
2008055022.tif 000006
【図５】
2008055022.tif 000007
【図６】
2008055022.tif 000008
【図７】
2008055022.tif 000009
【図８】
2008055022.tif 000010
【図９】
2008055022.tif 000011
【図１０】
2008055022.tif 000012
【図１１】
2008055022.tif 000013
【図１２】
2008055022.tif 000014
【図１３】
2008055022.tif 000015
【図１４】
2008055022.tif 000016
【図１５】
2008055022.tif 000017
【図１６】
2008055022.tif 000018
【図１７】
2008055022.tif 000019
【図１８】
2008055022.tif 000020
【図１９】
2008055022.tif 000021